(57)【要約】【課題】重い荷物を入れても繰り返し使用可能であり、軽量かつコンパクトで、さらにリサイクルが容易な買物袋を提供すること。【解決手段】本発明の買物袋は、線状に閉じて伸びる底辺部を有する袋下部と、内側に折り畳まれてマチを有する左右の袋側部と、折り重ねられた幅広の取手部を一対で形成する袋上部とを備えてなる、小売店で配布される買物袋であって、該買物袋は、ポリオレフィン不織布から作られ、且つ、前記袋上部の全体又は少なくとも前記取手部を含む一部は、前記買物袋のその他の部分の厚さと比較して１．１倍以上の厚さを有する単一層の厚肉不織布からなることを特徴とするものである。【選択図】図１
2009172282.tif 000002
【特許請求の範囲】
【請求項１】
線状に閉じて伸びる底辺部を有する袋下部と、
内側に折り畳まれてマチを有する左右の袋側部と、
折り重ねられた幅広の取手部を一対で形成する袋上部とを備えてなる、
小売店で配布される買物袋であって、
該買物袋は、ポリオレフィン不織布から作られ、且つ、
前記袋上部の全体又は少なくとも前記取手部を含む一部は、前記買物袋のその他の部分の厚さと比較して１．１倍以上の厚さを有する単一層の厚肉不織布からなることを特徴とする、買物袋。
【請求項２】
前記買物袋はポリプロピレン不織布から作られていることを特徴とする、請求項１に記載の買物袋。
【請求項３】
前記袋上部の全体又は少なくとも前記取手部を含む一部は、前記買物袋のその他の部分の厚さと比較して１．８倍ないし３．０倍の厚さを有することを特徴とする、請求項１又は請求項２に記載の買物袋。
【請求項４】
前記買物袋の長さ方向に関して前記厚肉不織布からなる部分の長さが、袋全長の１／５ないし１／３であることを特徴とする、請求項１ないし請求項３のいずれか１項に記載の買物袋。
【発明の詳細な説明】
【技術分野】
【０００１】
本発明は、購入した商品を持ち返るための買物袋に関する。詳しくは、重い荷物を入れても繰り返し使用可能であり、軽量かつコンパクトで、さらにリサイクルが容易な買物袋に関する。
【背景技術】
【０００２】
現在、顧客がスーパー等の小売店で購入した商品を持ち帰る手段として、無料で配布される樹脂フィルム製の買物袋が主に使用されている。そして中でも広く利用されているのは、低密度ポリエチレンの薄いフィルムを溶着して袋状に製造された買物袋である。しかしながら、この種の買物袋は伸び耐性が低く、重い商品を詰め手提げると、樹脂フィルムがたやすく延伸して該買物袋が裂けたり変形したりしてしまい、このため該樹脂フィルム製買物袋は多くの場合使い捨てで使用されている。
【０００３】
樹脂フィルム製買物袋は石油を原料として製造されるものであるので、その使い捨ては、貴重な石油資源の浪費に繋がる。また、樹脂フィルム製買物袋には一般に種々の添加剤が配合されるため、これを焼却により処分すると、例えばダイオキシン、ＣＯ2等の有害
なガスの発生源となる。さらに、樹脂フィルム製買物袋の燃焼の際に生じる二酸化炭素は、温室効果ガスとも呼ばれ、地球温暖化の原因となることが知られている。以上のような理由から、樹脂フィルム製買物袋の使い捨てという使用態様は環境保全・資源節約の観点より非常に好ましくない。
【０００４】
そこで最近、小売店では、斯かる事情を考慮し、今まで無料で配布していた買物袋を有料にする、買物袋が必要でない人には現金と引き換えることができるスタンプやクーポンを発行する等の方法により、顧客自身が買物袋を持参することを推奨している。しかしながら、従来、買物袋として使用されている布製の袋は厚手で嵩張りまた決して軽量とは言えず、携帯には適していなかった。さらに布製の袋は異質の材料で出来ておりリサイクルに適しておらず、また相当に高価なものでもあった。
そこで、本発明者は、この課題を解決するために、本願より以前に主にポリエステル樹脂製の不織布を同じポリエステル樹脂製の糸で袋状に縫製して製造した買物袋を提案している（特許文献１）。
【特許文献１】特開２００３−１３７３０４号公報
【発明の開示】
【発明が解決しようとする課題】
【０００５】
しかしながら、前記ポリエステル樹脂不織布の買物袋は、該買物袋全体が同じ厚みからなる不織布で作られており、重い荷物を入れたり、数回使用すると、荷重が最も加わる該買物袋の取手部分が切れたり、延びたりするという問題があった。また、ポリエステル樹脂の回収、再生及び再利用というリサイクル化は現在種々の問題があり、現状においてリサイクル化が十分に確率しているとはいえない。
従って、重い荷物を入れても取手部分が延びたり、切れたりせず、繰返し使用することができる程十分な強度を有し、軽量かつコンパクトで携帯に適しており、かつリサイクルが容易である新たな買物袋を考慮する必要があった。
【課題を解決するための手段】
【０００６】
そこで、本発明者等は鋭意検討を行った結果、ポリエステル樹脂に代えてポリオレフィン樹脂製の不織布を折り畳み及びヒートシール加工して製造した買物袋とし、かつその袋の取手部分を含む袋上部を単一層の厚肉不織布で構成することによって強度が著しく改良
され、しかもリサイクル化が容易であり、よって上記課題が解決されうることを見出して本発明を完成させた。
本発明は、以下の（１）ないし（４）の小売店で配布される買物袋に関する。
（１）線状に閉じて伸びる底辺部を有する袋下部と、
内側に折り畳まれてマチを有する左右の袋側部と、
折り重ねられた幅広の取手部を一対で形成する袋上部とを備えてなる、
小売店で配布される買物袋であって、
該買物袋は、ポリオレフィン不織布から作られ、且つ、
前記袋上部の全体又は少なくとも前記取手部を含む一部は、前記買物袋のその他の部分の厚さと比較して１．１倍以上の厚さを有する単一層の厚肉不織布からなることを特徴とする、買物袋。
（２）前記買物袋はポリプロピレン不織布から作られていることを特徴とする、前記（１）に記載の買物袋。
（３）前記袋上部の全体又は少なくとも前記取手部を含む一部は、前記買物袋のその他の部分の厚さと比較して１．８倍ないし３．０倍の厚さを有することを特徴とする、前記（１）又は（２）に記載の買物袋。
（４）前記買物袋の長さ方向に関して前記厚肉不織布からなる部分の長さが、袋全長の１／５ないし１／３であることを特徴とする、前記（１）ないし（３）のいずれか１項に記載の買物袋。
【発明の効果】
【０００７】
本発明の買物袋は、ポリオレフィン不織布から作られ、取手部を含む袋上部を単一層の厚肉不織布で構成したことにより、厚肉部の無い従来の不織布買物袋と比較して十分に高い強度を有し、繰り返しの使用に十分に耐えることができる。また軽量でかつ折畳むこともできるので、非常に携帯し易く、買物袋を持参することの煩わしさを大幅に減ずることが可能である。さらに、本発明の買物袋は再生が容易なポリオレフィン不織布で構成されているため、回収し、再生しそして再利用するという循環を作るためのリサイクル化が容易である。
【発明を実施するための最良の形態】
【０００８】
本発明の買物袋は、線状に閉じて伸びる底辺部を有する袋下部、内側に折り畳まれてマチを有する左右の袋側部及び折り重ねられた幅広の取手部を一対で形成する袋上部を備えてなるものである。
また、本発明の買物袋には、リサイクルの容易さ、強度、成形性等の面から、ポリエチレン不織布、ポリプロピレン不織布などのポリオレフィン不織布が使用される。なかでも、再生が容易なポリプロピレン不織布が好ましい。
また、本発明に用いられる前記不織布は、無着色のもの、又は慣用の不織布染色技術、例えばビーム染色、液流染色、ディッピングなどの染色法によって染色したものを用いることができる。染色した不織布によって製造された本発明の買物袋をリサイクルにより再利用する場合、色別に分別回収し、各々再生することによって、回収された袋材料を脱色することなくそれより新たな買物袋を再生産することができる。ゆえに、本発明の買物袋を配布する小売店ごとに識別、宣伝等のために色分けされた該買物袋を採用すると、それを色別に分別し回収するだけで容易に再生しそして再利用することができ、なおかつ小売店にとっては、自己の店の色の買物袋の持参を消費者に促すことで、繰り返しの来店を期待できるという利点がある。
【０００９】
また、本発明の買物袋は袋上部の全体又は少なくとも取手部を含む一部が、該買物袋のその他の部分の厚さと比較して１．１倍以上の厚さを有するものであるので、荷物の重量に耐えるに十分な引張強さ及び引裂強さを与えることができる。さらに十分高い強度を与えるためには、該買物袋における前記袋上部の全体又は少なくとも前記取手部を含む一部
が、該買物袋のその他の部分の厚さと比較して１．８倍ないし３．０倍の厚さを有することが好ましい。また本発明の買物袋において厚肉となる部分は、不織布を二層にするなど複数の層を重ねることで厚肉としたものではなく、単一層からなるものである。よって、二層重ねの構成と比較して、強度の著しい改良がみられる。さらに、買物袋の長さ方向に関して前記厚肉部分の長さが、袋全長の１／５ないし１／３であることが好ましい。
次に、本発明の買物袋の製造法を述べる。
例えば、長辺方向の中央部が両端部に比して厚肉となる不織布を用いる場合、その長辺に直交する方向で該長方形を二分する折り目に沿って折り畳み、そして該折り目を含む不織布の一部を切除して取手及び封止片を形成し、次に前記長方形の長辺であった辺に沿って該不織布をヒートシールして袋側部を作成し、シールした袋側部を内側に折り返し、取手及び封止片に対向する短辺に沿って袋本体と同材質の糸でミシン縫製、或いはヒートシールして袋の底部を作成し、そして得られた袋を折り返すことにより本発明のポリオレフィン製不織布買物袋が得られる。
また、例えば、長辺方向の両端部が中央部に比して厚肉となる不織布を用いる場合、その長辺に直交する方向で該長方形を二分する折り目に沿って折り畳み、そして該折り目に対向する不織布の両端部（厚肉部）を重ねてヒートシールして、さらにシールした端縁を含む不織布厚肉部の一部を切除して取手及び封止片を形成し、次に前記長方形の長辺であった辺に沿って該不織布をヒートシールして袋側部を作成し、シールした該袋側部を内側に折り返し、そして得られた不織布を裏返して、取手及び封止片に対向する辺に沿って袋本体と同材質の糸でミシン縫製、或いはヒートシールして袋の底部を作成することにより本発明のポリオレフィン製不織布買物袋が得られる。
本発明の買物袋の製造方法は、上記以外の異なる方法によっても得られる。
【００１０】
本発明の買物袋は、ポリオレフィン不織布からなりかつ取手を含む該買物袋の一部を厚肉としたことにより、従来のものより格段に荷物の重量に耐えるに十分な引張強さ及び引裂強さを有するものとなった。本発明の買物袋は、通常１０ないし２０回程度、繰り返して使用することができる。また、本発明に用いられるポリオレフィン不織布は軽量であり、しかもコンパクトに折り畳むこと、並びに折畳み後に再展開して元の形状に戻すことも容易であるので、本発明のポリオレフィン不織布の買物袋は携帯にも大変適している。
また、本発明の買物袋は、全体が同一のポリオレフィン不織布からなるため、分解分別する必要がないので、そのまま再生工程に送ることができ、ゆえに該買物袋のリサイクル化は非常に容易である。
【実施例】
【００１１】
以下に図面を参照して本発明をより詳細に説明する。図１は本発明の買物袋のある態様を図示する斜視図であり、そして図２の（ａ）ないし（ｄ）は、本発明の買物袋の製造過程の一例を図示する模式図である。さらに、図３は図２（ａ）のＡ−Ａ’断面図である。
【００１２】
本発明の買物袋１は、ポリプロピレン不織布２をヒートシールにより袋状にシールしてなる。ポリオレフィン不織布買物袋１は例えば、図２の（ａ）ないし（ｄ）に図示するように製造される。図２に図示する方法では、まず長辺方向の中央部が両端部に比して厚肉部３となる細長い長方形の不織布２を用意し、その長辺に直交する方向で該長方形を二分する折り目に沿って折り畳む（図２（ｂ）参照）。そして折畳んだ不織布２の折り目を含む一部（図２（ｂ）において斜線で示す部分）を切除して、取手部４及び封止片５を形成する。次に、長方形の長辺であった辺に沿って不織布２をヒートシールし（図中、６はヒートシール部を示す）、ポリオレフィン不織布買物袋１の側部を形成する（図２（ｃ）参照）。そして、取手部４を二重の不織布２から構成するために、また完成した不織布買物袋１にまちを設けるために、ヒートシールした不織布２の両側を内側に折り返し（例えば、図２（ｃ）の線Ｘ及び線Ｘ’に沿って）、取手部４及び封止片５に対向する辺に沿って不織布２をヒートシールして（図中、６はヒートシール部を示す）買物袋１を製造するこ
とができる。
【００１３】
このようにして作られた買物袋１は、図１に示すように、線状に閉じて伸びる底辺部７を有する袋下部８と、内側に折り畳まれてマチ９を有する左右の袋側部１０と、折り重ねられた幅広の取手部４を一対で形成する袋上部１１とを備えてなるものである。また、袋上部１１の取手部４を含む買物袋１の厚肉部３は、買物袋１のその他の部分の厚さと比較して２．０倍の厚さを有する単一層の厚肉不織布からなる。さらに、買物袋１の長さ方向に関して厚肉部３の長さは、袋全長の１／３である。
【００１４】
このような構成からなる買物袋１は、均一の厚みを有する不織布から形成される従来の不織布買物袋のように重い荷物を入れても取手部４が延びたり、切れたりせず、荷物の重量に耐えるに十分な強度を有する。従って、本発明の買物袋１は、通常１０回以上繰り返して使用することができる。また、ポリオレフィン製の不織布２は軽量であり、しかもコンパクトに折り畳むこと、並びに折り畳み後に再展開して元の形状に戻すことも容易であるので、本発明の買物袋１は携帯にも大変適している。
【産業上の利用可能性】
【００１５】
本発明の買物袋の実際の使用は、例えば、小売店でその買物袋を配布し、その配布された買物袋を使用してその店で買物をし、商品を配布された買物袋に詰めて持ち帰る度にスタンプカードにスタンプが押され、定められた数のスタンプが集まったら、そのお客にあらたに新しい買物袋を渡し、古くなった買物袋をその小売店で回収し、そしてそれを再び買物袋に再生し、再利用することからなる。このような循環システムを確立することにより、資源を浪費することなく、また焼却処分も要しないので炭酸ガスの発生もなく、従って、本発明の買物袋の使用は、環境保全・資源節約の観点から非常に好ましい。
【図面の簡単な説明】
【００１６】
【図１】図１は、本発明の買物袋のある態様を図示する斜視図である。
【図２】図２（ａ）ないし（ｄ）は、本発明の買物袋の製造過程を図示する模式図である。
【図３】図３は、図２（ａ）で図示される不織布のＡ−Ａ’断面図である。
【符号の説明】
【００１７】
１  買物袋
２  不織布
３  厚肉部
４  取手部
５  封止片
６  ヒートシール部
７  底辺部
８  袋下部
９  マチ
１０  袋側部
１１  袋上部
【図１】
2009172282.tif 000003
【図２】
2009172282.tif 000004
【図３】
2009172282.tif 000005